(57)【特許請求の範囲】
【請求項１】
刈刃ケース（５）を車体フレーム（３）に対して左右片側に偏位して設け、該刈刃ケース（５）の左右一側を前後方向の軸（９ａ）,（９ｂ）に枢支し、その他側が上下揺動可能な刈刃ケース（５）に補助車輪（１）を設けた歩行型草刈機の補助車輪において、該補助車輪（１）を前記刈刃ケース（５）に対して左右揺動可能、かつ、非接地状態時には刈刃ケース（５）に対して略直立状態となるよう付勢して設けてなる歩行型草刈機の補助車輪。
【請求項２】
刈刃ケース（５）を車体フレーム（３）に対して左右片側に偏位して設け、該刈刃ケース（５）の左右一側を前後方向の軸（９ａ）,（９ｂ）に枢支し、その他側が上下揺動可能な刈刃ケース（５）に補助車輪（１）を設けた歩行型草刈機の補助車輪において、補助車輪（１）をハンドル杆（２）の左右揺動に連動して左右揺動すべく設けてなる歩行型草刈機の補助車輪。
【発明の詳細な説明】
【０００１】
【発明の属する技術分野】
本発明は、歩行型草刈機の刈刃ケース側部に設ける補助車輪の取り付け構成に関する。
【０００２】
【従来技術】
従来より、刈刃ケースを車体フレームに対して左右片側に偏位して設けた草刈機において、刈刃ケース側部に設ける補助車輪は、補助車輪を枢支したアームやピン等を刈刃ケース、又は車体フレームに固定する構成や、補助車輪を枢支したアームやピン等に左右方向の遊動範囲を設けた構成はすでに知られている。
【０００３】
【発明が解決しようとする課題】
しかし、従来の補助車輪を刈刃ケース側部に固定する構成においては、ハンドル杆を揺動させると、刈刃ケースが左右に揺動するため、補助車輪が刈刃ケースの動きに伴って地面上を横方向に摺動する状態になり、これが抵抗となってハンドル杆の揺動を妨げ、操作性が悪くなるという欠点があった。
また、左右方向の遊動が可能に支持されただけの補助車輪の取り付け構成において、平坦地刈りの場合は、ハンドル杆の揺動と共に補助車輪が揺動し、ハンドル杆を必要以上に揺動させて、補助車輪が地面から浮き上がり、図７の状態になった場合においても、補助車輪３１が再び接地する時には、地面に対して略垂直に戻るため、ハンドル杆３２の揺動を妨げないが、図５，図６に示す如く、補助車輪３１が斜面山側に位置した状態の斜面刈りにおいては、ハンドル杆３２を斜面谷側に揺動させた図５の状態からさらにハンドル杆３２の揺動限界を越えて傾けると、補助車輪３１は地面から浮き上がり、図６に示す如く遊動可能な補助車輪３１は、重力で刈刃ケース３５側に倒れる。
【０００４】
この状態からハンドル杆３２を起こした場合には、補助車輪３１が刈刃ケース３５側に倒れたままで接地することになり、ハンドル杆３２を通常の作業状態、すなわちハンドル杆３２が鉛直になる状態まで揺動させようとすると、補助車輪３１が斜面山側方向に摺動することとなる。この補助車輪の摺動抵抗は、ハンドル杆３２の揺動操作性を悪くする欠点がある。
以上のことにより、本発明は、ハンドル杆の左右揺動に伴い、補助車輪が左右に揺動し、かつ補助車輪を地面から浮き上がらせた状態で再び接地させた場合においても、補助車輪が地面を横方向に摺動することがなく、良好なハンドル杆の揺動操作性を得ることを課題とする。
【０００５】
【課題を解決するための手段】
刈刃ケース５を車体フレーム３に対して左右片側に偏位して設け、該刈刃ケース５の左右一側を前後方向の軸９ａ,９ｂに枢支し、その他側が上下揺動可能な刈刃ケース５に補助車輪１を設けた歩行型草刈機の補助車輪において、該補助車輪１を前記刈刃ケース５に対して左右揺動可能、かつ、非接地状態時には刈刃ケース５に対して略直立状態となるよう付勢した。
また、補助車輪１をハンドル杆２の左右揺動に連動して左右揺動すべく設けた。
【０００６】
【発明の作用及び効果】
請求項１の発明にあっては、補助車輪１を刈刃ケース５に対して左右揺動可能かつ、刈刃ケース５に対して常に略直立状態となるように、スプリング等の付勢手段によって付勢すれば、斜面刈り取り作業の場合、ハンドル杆２を揺動させることに伴い揺動する補助車輪１は、地面から浮き上がった場合においても、常に刈刃ケース５と略直立の状態に戻り、再び接地させても、補助車輪１の全揺動範囲の半分は確保されていることでハンドル杆２の揺動を妨げることがない。
また、請求項２の発明にあっては、図４に示すように、ハンドル杆２の左右方向の揺動に連動して、補助車輪１を揺動すべく構成すれば、ハンドル杆２が傾いた状態で補助車輪１が接地しても、補助車輪１の揺動範囲が狭くなることがなく、補助車輪１を刈刃ケース５に対して常に略直立状態となるよう付勢するよりも、補助車輪１の揺動範囲が広く、ハンドル杆２の良好な揺動性を得ることができる。
【０００７】
【実施例】
次に本願の請求項１に記載の第１発明を、第１実施例として説明する。
車体フレーム３には原動機１１を搭載し、車体フレーム３から後斜め上方に向けてハンドル杆２が設けられている。車体フレーム３後下方には、後輪２１用ギヤボックス１３が、車体フレーム３と一体的に取り付けられており、原動機１１の駆動力を後輪２１に伝えている。
刈刃４を装着した刈刃ケース５は、車体フレーム３の側方から前方に向けて突設された横受杆１４の枢支軸９ａと、車体フレーム３の後方に設けた枢支軸９ｂに軸支され、車体フレーム３に固定したハンドル杆２を左右に揺動させることに伴い、刈刃ケース５が地面に対して略水平で左右方向に揺動する。
【０００８】
図３に示すように、刈刃ケース５外方には、支持板６が固着されており、支持板６には補助車輪１を枢支した揺動板７がピン８で軸支され、揺動板７はピン８を中心に、左右方向の回動が自在である。ハンドル杆２の揺動可能角度は、現状の草刈機において、左右方向それぞれ１５°〜２５°程度の範囲であるが、この揺動可能角度以上にハンドル杆２を補助車輪１と反対側へ倒すと、刈刃ケース５と共に補助車輪１が地面から浮き上がる状態になる。
揺動板７上部には、揺動板７の回動を、支持板６に接触することで規制しているストッパ部１０が設けられている。支持板６には、先端部と刈刃ケース５側端部とから、揺動板７を左右両方へ付勢するスプリング１５，１６が設けられており、スプリング１５とスプリング１６のつり合った付勢力で揺動板７は、常に刈刃ケース５に対して直立状態となるよう付勢されている。
【０００９】
この付勢手段は、引張り型のスプリングでも圧縮型のスプリングでもよく、すなわち、補助車輪１を全揺動範囲の略中央位置に付勢できればよい。
この付勢手段により、地面から浮いた状態の補助車輪１を再び接地させても、補助車輪１は全揺動範囲の略中央位置からの揺動が可能となり、ハンドル杆２の揺動に伴った揺動も可能なので、ハンドル杆２の揺動を妨げることがなく良好な操作性を得ることができる。
次に、請求項２に記載の第２発明を、第２実施例として図４を参照にしながら説明する。
【００１０】
車体フレーム３に固着されたハンドル軸３０に枢支されたハンドル杆２の回動ハブ１７には、回動アーム１８が固着されており、支持板６には、補助車輪１を枢支した揺動板７がピン８で軸支されている。揺動板７上部と、回動ハブ１７の回動アーム１８は、連結ロッド１９で連結されており、ハンドル杆２の揺動に伴い、補助車輪１は、揺動板７と共に揺動する。従ってハンドル杆２の揺動に伴った補助車輪１の揺動は、ハンドル杆２の揺動を傾斜面においても妨げることがなく、また、補助車輪１の全揺動範囲を使えるので、本発明の第１実施例構成よりも、補助車輪１の揺動可能範囲が広くなり、良好なハンドル杆２の揺動操作性を得ることができる。
【００１１】
この第２実施例で述べた連結ロッド１９は、必ずしも剛体でなくても良い。この連結ロッド１９は、補助車輪１が揺動可能な構成の草刈機で斜面刈りを行う場合、補助車輪１が斜面山側に位置した状態で作業を行う時、特にハンドル杆２を斜面谷側に向けて揺動させて、補助車輪１が浮き上がる場合に斜面山側に補助車輪１を揺動させればよく、補助車輪１が斜面谷側に位置した状態の作業では、ハンドル杆２を斜面山側に揺動させて、補助車輪１を浮かしても、補助車輪１は、連結ロッド１９がなくても自重で自動的に鉛直な状態になるような遊動をすることになる。すなわち、ハンドル杆２を補助車輪１と反対側に揺動させた時にのみ補助車輪１が揺動するように引張ればよく、連結ロッド１９は、ワイヤやロープ等を使用してもよい。
【図面の簡単な説明】
【図１】  本発明の実施例を示す全体平面図である。
【図２】  本発明の実施例を示す全体側面図である。
【図３】  本発明の第１実施例を示す部分拡大背面図である。
【図４】  本発明の第２実施例を示す部分拡大背面図である。
【図５】  従来例を示す斜面刈りの時の作用既略図である。
【図６】  従来例を示す斜面刈りの時の作用既略図である。
【図７】  従来例を示す平面刈りの時の作用既略図である。
【符号の説明】
１    補助車輪
２    ハンドル杆
３    車体フレーム
５    刈刃ケース
２０  前輪
２１  後輪
【図１】
0003677753.tif 000002
【図２】
0003677753.tif 000003
【図３】
0003677753.tif 000004
【図４】
0003677753.tif 000005
【図５】
0003677753.tif 000006
【図６】
0003677753.tif 000007
【図７】
0003677753.tif 000008